(57)【要約】【課題】ストレートコアを円周方向に巻回する際に発生する応力を緩和しつつ、スプリングバックによる分割部の隙間発生を抑制して、漏れ磁束を低減することができるアウターロータ型回転電機のステータを提供する。【解決手段】ストレートコア１０Ａを円周方向に巻回し、かつ回転軸方向に積層して構成されるステータコア１０は、隣り合うコアブロック２０同士が連結部２１で連結され、連結部２１の内周側には、隣り合うコアブロック２０が接する径方向に切り欠かれた分割部２４と、凸部２８と、が設けられ、凸部２８が、凹部１７により保持されることで分割部２４が周方向に開くことが抑制される。【選択図】図２
2012147547.tif 000002
【特許請求の範囲】
【請求項１】
ロータの内周側にエアギャップを介して配置され、ステータコアを備えるアウターロータ型回転電機のステータであって、
前記ステータコアは、複数のブロックが連結されて略直線状に延びるストレートコアを円周方向に巻回しかつ回転軸方向に積層して構成され、
前記巻回された周方向で隣り合うブロック同士は連結部で連結され、
前記連結部の内周側には、前記巻回された周方向で隣り合うブロックが接する径方向に切り欠かれた分割部と、固定部と、が設けられ、
前記固定部は、接合保持構造により保持されて前記分割部が円周方向に開くことが抑制されることを特徴とするアウターロータ型回転電機のステータ。
【請求項２】
前記固定部は、前記ステータコアの内周面から内周側へ突出する凸部からなり、
前記接合保持構造は、前記凸部と係合する凹部を備えた第１保持部材からなることを特徴とする請求項１に記載のアウターロータ型回転電機のステータ。
【請求項３】
前記凸部は、前記巻回された周方向で隣り合うブロックの前記分割部を挟んで設けられた一対の分割凸部により構成されることを特徴とする請求項２に記載のアウターロータ型回転電機のステータ。
【請求項４】
前記凸部には、前記ステータコアを回転軸方向に貫通する貫通孔が設けられ、
前記ステータコアは、前記貫通孔に挿通される固定部材により前記第１保持部材に固定されることを特徴とする請求項２又は３に記載のアウターロータ型回転電機のステータ。
【請求項５】
前記固定部は、前記ステータコアを回転軸方向に貫通する貫通孔からなり、
前記接合保持構造は、前記ステータコアに対して回転軸方向に対向するように配置された第２保持部材と、前記貫通孔に挿通されて、前記ステータコアを前記第２保持部材に固定する固定部材と、からなることを特徴とする請求項１に記載のアウターロータ型回転電機のステータ。
【請求項６】
ロータの内周側にエアギャップを介して配置され、ステータコアを備えるアウターロータ型回転電機のステータの製造方法であって、
前記ステータコアは、複数のブロックが連結点で連結されて略直線状に延びるストレートコアを円周方向に巻回しかつ回転軸方向に積層することにより形成され、
前記ストレートコアの各ブロックには、ティースを構成するティース片とは幅方向で反対方向に突出する固定部片が設けられ、
前記ストレートコアを巻回する際に、前記固定部片を支持部材に係合させながら巻回することを特徴とするアウターロータ型回転電機のステータの製造方法。
【発明の詳細な説明】
【技術分野】
【０００１】
本発明は、アウターロータ型回転電機のステータに関する。
【背景技術】
【０００２】
従来、帯状のバックヨークの幅方向一端側から所定ピッチで複数のティースが形成されたストレートコアを積層して製造されるモータのステータコアが知られている（例えば、特許文献１、２参照。）。
【０００３】
図９は、特許文献１に記載されたモータのステータコアの製造過程を示す斜視図である。ステータコア１００は、電磁鋼板の打抜加工により、帯状のバックヨーク１０２から複数のティース１０３が突出形成されたストレートコア１０１を、螺旋状に巻回しながら軸方向に積層した後、カシメ等により仮止めし、更に、形状保持冶具に入れて焼鈍処理を行うことにより、加工の際に生じた内部歪みを除去して製作される。これにより、ステータコア１００の変形を規制してモータ効率の向上を図っている。
【０００４】
また、図１０は、特許文献２に記載されたアウターロータ型モータのステータの正面図であり、ステータ１１０は、バックヨーク１１１と、バックヨーク１１１から延出する複数のティース１１２と、ティース１１２と反対側の長辺において各ティース１１２間に形成されたＶ字状の切り込み部１１３と、備えて直線状に形成された複数の積層板を積層してステータコア１１４を形成し、このステータコア１１４の各ティース１１２に巻線１１５を巻回した後、各切り込み部１１３を支点にして円環状に形成して、両端を溶接により接合・固着している。
【先行技術文献】
【特許文献】
【０００５】
【特許文献１】特許第４２５３６０８号公報
【特許文献２】特許第３６８１４８７号公報
【発明の概要】
【発明が解決しようとする課題】
【０００６】
ところで、特許文献１に記載のステータコアの製造方法によると、ストレートコアを、螺旋状に巻回しながら積層する際、バックヨーク１０２の内周側においては圧縮応力が大きくなり、外周側においては引張応力が大きくなってしまい、巻回積層時にこれらの応力が原因となって所望の積厚にならず、歪取焼鈍工程や、積厚方向に広がらないようヨークの接着が必要となる問題があった。また、特許文献２に記載のアウターロータ型モータによると、直線状のステータコア１１４を折り曲げ、バックヨーク１１１の両端部を固着することによって円環状の固定子１１０が形成される。円環状に形成する際のバックヨーク１１１における応力は切り込み部１１３によって緩和されているが、各切り込み部１１３には、折り曲げによる変形前の形状に戻ろうとするスプリングバック力が作用するために隙間が生じ易く、この隙間からトルクに寄与しない漏れ磁束が発生してトルク損失が生じる問題があった。
【０００７】
本発明は、前述した課題に鑑みてなされたものであり、その目的は、ストレートコアを円周方向に巻回する際に発生する応力を緩和しつつ、スプリングバックによる分割部における隙間発生を抑制して、漏れ磁束を低減することができるアウターロータ型回転電機のステータを提供することにある。
【課題を解決するための手段】
【０００８】
上記目的を達成するために、請求項１に係る発明は、
ロータの内周側にエアギャップを介して配置され、ステータコア（例えば、後述の実施形態におけるステータコア１０）を備えるアウターロータ型回転電機のステータであって、
前記ステータコアは、複数のブロック（例えば、後述の実施形態におけるブロック２０ａ、３０ａ、４０ａ）が連結されて略直線状に延びるストレートコア（例えば、後述の実施形態におけるストレートコア１０Ａ）を円周方向に巻回しかつ回転軸方向に積層して構成され、
前記巻回された周方向で隣り合うブロック（例えば、後述の実施形態におけるコアブロック２０、３０、４０）同士は連結部（例えば、後述の実施形態における連結部２１、３１、４１）で連結され、
前記連結部の内周側には、前記巻回された周方向で隣り合うブロックが接する径方向に切り欠かれた分割部（例えば、後述の実施形態における分割部２４、３４、４４）と、固定部（例えば、後述の実施形態における凸部２８、３８、４８、貫通孔２７、３７）と、が設けられ、
前記固定部は、接合保持構造（例えば、後述の実施形態におけるボルト１１、ハウジング１２、凹部１７）により保持されて前記分割部が円周方向に開くことが抑制されることを特徴とする。
【０００９】
請求項２に係る発明は、請求項１の構成に加えて、
前記固定部は、前記ステータコアの内周面から内周側へ突出する凸部（例えば、後述の実施形態における凸部２８、３８、４８）からなり、
前記接合保持構造は、前記凸部と係合する凹部（例えば、後述の実施形態における凹部１７）を備えた第１保持部材（例えば、後述の実施形態におけるハウジング１２）からなることを特徴とする。
【００１０】
請求項３に係る発明は、請求項２の構成に加えて、
前記凸部は、前記巻回された周方向で隣り合うブロックの前記分割部を挟んで設けられた一対の分割凸部（例えば、後述の実施形態における分割凸部２５、３５、４５）により構成されることを特徴とする。
【００１１】
請求項４に係る発明は、請求項２又は３の構成に加えて、前記凸部には、前記ステータコアを回転軸方向に貫通する貫通孔（例えば、後述の実施形態における貫通孔２７、３７）が設けられ、
前記ステータコアは、前記貫通孔に挿通される固定部材（例えば、後述の実施形態におけるボルト１１）により前記第１保持部材に固定されることを特徴とする。
【００１２】
請求項５に係る発明は、請求項１の構成に加えて、前記固定部は、前記ステータコアを回転軸方向に貫通する貫通孔（例えば、後述の実施形態における貫通孔２７、３７）からなり、
前記接合保持構造は、前記ステータコアに対して回転軸方向に対向するように配置された第２保持部材（例えば、後述の実施形態におけるハウジング１２）と、前記貫通孔に挿通されて、前記ステータコアを前記第２保持部材に固定する固定部材（例えば、後述の実施形態におけるボルト１１）と、からなることを特徴とする。
【００１３】
上記目的を達成するために、請求項６に係る発明は、
ロータの内周側にエアギャップを介して配置され、ステータコア（例えば、後述の実施形態におけるステータコア１０）を備えるアウターロータ型回転電機のステータの製造方法であって、
前記ステータコアは、複数のブロック（例えば、後述の実施形態におけるブロック２０ａ、３０ａ、４０ａ）が連結点（例えば、後述の実施形態における連結点２１ａ、３１ａ、４１ａ）で連結されて略直線状に延びるストレートコア（例えば、後述の実施形態におけるストレートコア１０Ａ）を円周方向に巻回しかつ回転軸方向に積層することにより形成され、
前記ストレートコアの各ブロックには、ティース（例えば、後述の実施形態におけるティース片２３、３３、４３）を構成するティース片（例えば、後述の実施形態におけるティース片２３ａ、２３ｂ、３３ａ、４３ａ）とは幅方向で反対方向に突出する固定部片（例えば、後述の実施形態における分割凸部片２５ｃ、分割凸部片３５ｃ、分割凸部片４５ｃ）が設けられ、
前記ストレートコアを巻回する際に、前記固定部片を支持部材の被係合部に係合させながら巻回することを特徴とする
【発明の効果】
【００１４】
請求項１の発明によれば、ストレートコアは複数のブロックが連結されており、ストレートコアを円周方向に巻回しかつ回転軸方向に積層した際に、連結部の内周側に径方向に切り欠かれた分割部が設けられるので、ストレートコアを円周方向に巻回する際に発生する応力を緩和できる。また、固定部が接合保持構造により保持されることにより、ストレートコアを巻回する際に発生するスプリングバックによって、分割部において隙間が発生することを抑制し、漏れ磁束を抑制することができる。また、固定部を連結部より内周側に設けたことにより、固定部を保持する際にステータの外周側に位置するロータの配置位置が制限されることを抑制できる。
【００１５】
請求項２の発明によれば、固定部がステータコアの内周面から内周側へ突出して形成されるため、ステータコアの磁路を狭くすることなく接合保持構造を構成することができる。また、固定部を設けることによってステータコアの内周側において磁束飽和が発生しやすくなることを抑制して、磁束飽和によるトルクの低下を抑制しつつ、漏れ磁束の発生を抑制することができる。
【００１６】
請求項３の発明によれば、分割部における隙間発生がより抑制され、漏れ磁束をより抑制することができる。
【００１７】
請求項４の発明によれば、ステータコアを軸方向にも固定することができるので、積層されたストレートコアのばらけを防止できる。また、凸部に貫通孔を設けることで、固定部材によっても分割部が円周方向に開くことを抑制できる。
【００１８】
請求項５の発明によれば、固定部材により固定部を保持するとともに、積層されたストレートコアのばらけを防止できる。
【００１９】
請求項６の発明によれば、ストレートコアを巻回する際も固定部片を係合させながら巻回することで、巻回する際に発生するスプリングバックによって、分割部において隙間が発生することが抑制される。
【図面の簡単な説明】
【００２０】
【図１】本発明の第１実施形態のステータの要部分解斜視図である。
【図２】図１の要部拡大図である。
【図３】電磁鋼板が打ち抜かれて形成されたストレートコアの平面図である。
【図４】図３のストレートコアが円周方向に巻回されたステータコアの平面図である。
【図５】本発明の第２実施形態のストレートコアの平面図である。
【図６】図５のストレートコアが円周方向に巻回されたステータコアの平面図である。
【図７】本発明の第３実施形態のストレートコアの平面図である。
【図８】図７のストレートコアが円周方向に巻回されたステータコアの平面図である。
【図９】特許文献１に記載のステータコアの製造過程を示す斜視図である。
【図１０】特許文献２に記載のステータの正面図である。
【発明を実施するための形態】
【００２１】
本発明の回転電機は、ステータと、ロータと、これらステータとロータを収容するハウジングと、から構成され、ステータがロータの内周側にエアギャップを介して配置されたアウターロータ型の回転電機である。以下、本発明の回転電機のステータの各実施形態を、添付図面に基づいて説明する。なお、図面は符号の向きに見るものとする。
（第１実施形態）
【００２２】
図１は第１実施形態のステータの要部分解斜視図であり、図２は図１の要部拡大図である。なお、図中、ロータ及びステータコアに巻回されるコイルは簡単のため省略している。
【００２３】
図１及び図２に示すように、本実施形態のステータコア１０は、ボルト１１によって、ハウジング１２の側壁１３に回転軸方向から固定されている。
【００２４】
ハウジング１２は、ロータ及びステータを収容するための略円環状の外壁１４が側壁１３から立設されている。この外壁１４の中心には、円形のボス部１５が立設し、ボス部１５の外周にステータコア１０が取り付けられている。更にボス部１５の中心には、不図示の転がり軸受で回転自在に支持されるロータの回転軸が挿通される軸孔１６が設けられている。ボス部１５の外周面には、略Ｕ字型の複数（図に示す実施形態では６個）の凹部１７が、周方向に等間隔で配置されて回転軸方向に窪むように形成されている。
【００２５】
図３はストレートコアの平面図、図４はストレートコアが巻回・積層されたステータコアの平面図である。図３に示すように、ストレートコア１０Ａは、それぞれ略扇形に形成された複数のブロック２０ａが、連結点２１ａで連結されて長手方向（図中、左右方向）に連続形成された電磁鋼板である。各ブロック２０ａは、幅方向一端側（図中、下側）に位置する開き角度６０°の円弧状のバックヨーク片２２ａと、このバックヨーク片２２ａの外周側から径方向外側に向かって放射状に形成された複数のティース片２３ａ、２３ｂとを備え、幅方向一端側に開いたＶ字状の切欠き２４ａによって分割されている。
【００２６】
各ブロック２０ａの長手方向両端に位置するティース片２３ｂの幅は、他のティース片２３ａの幅の半分の幅であり、このティース片２３ｂの幅方向他端側（図中、上側）の角部に設けられた連結点２１ａで、隣り合うブロック２０ａ同士が連結されている。換言すれば、ティース片２３ｂは、連結点２１ａから幅方向一端側へ向かって形成された切欠き２４ａによって分割された形状を有し、隣り合うブロック２０ａのティース片２３ｂ同士が切欠き２４ａで接合したとき、その他のティース片２３ａと同様の形状（同一幅）となる。
【００２７】
また、各ブロック２０ａのバックヨーク片２２ａの内周側には、周方向両端部から内径側に向かって突出する分割凸部片２５ｃが設けられている。分割凸部片２５ｃは、バックヨーク片２２ａに連続する幅広の根元部２５ａと、根元部２５ａから内径側に突出する幅狭の先端部２５ｂとからなり、根元部２５ａには、根元部２５ａの側方（周方向）に隣り合うブロック２０ａ側に開口する半円形溝２６が形成されている。
【００２８】
このようなストレートコア１０Ａを、図４に示すように、円周方向に巻回しながら回転軸方向に積層することにより、円環状のステータコア１０が形成される。即ち、連続形成されている複数のブロック２０ａを、連結点２１ａで折り曲げ、隣り合うブロック２０ａのティース片２３ｂ同士を切欠き２４ａで接合しながら回転軸方向に積層する。これにより、各ブロック２０ａが回転軸方向に整列積層されコアブロック２０を構成し、隣り合うコアブロック２０同士が連結部２１で連結される。このとき、バックヨーク片２２ａ、ティース片２３ａ、２３ｂ及び分割凸部片２５ｃが、それぞれバックヨーク２２、ティース２３及び分割凸部２５を構成する。また、切欠き２４ａを画成する隣接するコアブロック２０の側面により径方向に切り欠かれた分割部２４が構成され、周方向で隣り合うコアブロック２０の分割部２４を挟んで設けられた一対の分割凸部２５により、凸部２８が構成される。また、一対の半円形溝２６が、ステータコア１０を回転軸方向に貫通する貫通孔２７を構成する。
【００２９】
ストレートコア１０Ａの巻回は、ボス部１５に相当するような分割凸部片２５ｃと係合する凹部（被係合部）を備えた環状の支持部材を用いて、分割凸部片２５ｃを凹部に係合させながら行なうことが好ましい。そして、ストレートコア１０Ａを円周方向に巻回しながら回転軸方向に積層することにより製造された円環状のステータコア１０は、ティース２３に不図示のコイルが巻回された後、図１及び図２に示すように、一対の分割凸部２５が接合された凸部２８の先端２８ａを、ボス部１５の外周面に形成された凹部１７に係合させて、ボス部１５の周囲に配置される。そして、一対の半円形溝２６からなる貫通孔２７に回転軸方向からボルト１１を挿通させて、ハウジング１２の側壁１３に設けられた雌ネジ（図示せず）に螺合させて側壁１３に固定される。
【００３０】
このように、凸部２８の先端２８ａがハウジング１２のボス部１５に形成された凹部１７に係合して保持されることで、分割部２４が円周方向に開くことが抑制される。従って、ストレートコア１０Ａを巻回する際に連結点２１ａが変形することにより発生するスプリングバックによって、分割部２４において隙間が発生することを抑制し、漏れ磁束を抑制することができる。即ち、本実施形態では、凸部２８が固定部をなし、凹部１７が接合保持構造をなしている。
【００３１】
また、本実施形態では、凸部２８にさらに貫通孔２７を形成し、貫通孔２７にボルト１１を挿通させてハウジング１２の側壁１３に固定するので、ボルト１１の座面１１ａが貫通孔２７の周囲のステータコア１０を回転軸方向に押圧することによっても分割部２４が円周方向に開くことが抑制される。即ち、本実施形態では、さらに貫通孔２７も固定部をなし、ハウジング１２及びボルト１１も接合保持構造をなしている。なお、本実施形態では、貫通孔２７と凸部２８の両方を設け、ボルト１１と凹部１７の両方で分割部２４が円周方向に開くことが抑制されているが、必ずしも両方設ける必要はなく、いずれか一方でもよい。
【００３２】
なお、アウターロータ型回転電機（図示せず）の組み付けは、ステータコア１０の各ティース２３に不図示のコイルを巻回することで形成されたステータを、ハウジング１２に固定した後、転がり軸受で回転自在に支持される回転軸を軸孔１６に挿通して、ステータの周囲に僅かな隙間を介して不図示のロータを配設することで組付けられる。
【００３３】
以上説明したように、本実施形態のステータによれば、ストレートコア１０Ａは複数のブロック２０ａが連結されており、ストレートコア１０Ａを円周方向に巻回しかつ回転軸方向に積層した際に、連結部２１の内周側に径方向に切り欠かれた分割部２４が設けられるため、ストレートコア１０Ａを円周方向に巻回する際に発生する応力を緩和できる。また、固定部としての凸部２８が、接合保持構造としての凹部１７により保持されることで分割部２４が周方向に開くことが抑制されるので、ストレートコア１０Ａを巻回する際に連結点２１ａが変形することにより発生するスプリングバックによって、分割部２４において隙間が発生することを抑制し、漏れ磁束を抑制することができる。また、凸部２８を連結部２１より内周側に設けたことにより、凸部２８を保持する際にステータの外周側に位置するロータの配置位置が制限されることを抑制できる。
【００３４】
また、固定部としての貫通孔２７が、貫通孔２７を挿通してハウジング１２の側壁１３に固定される固定部材としてのボルト１１によっても保持されることで分割部２４が周方向に開くことが抑制されるので、分割部２４における隙間発生がより抑制され、漏れ磁束をより抑制することができるとともに、ステータコア１０をハウジング１２に固定できる。また、積層されたストレートコア１０Ａのばらけも防止できる。
【００３５】
また、凸部２８は、ステータコア１０の内周面から内周側へ突出して形成されるため、ステータコア１０磁路を狭くすることなく接合保持構造を構成することができる。また、凸部２８を設けることによってステータコア１０の内周側において磁束飽和が発生しやすくなることを抑制して、磁束飽和によるトルクの低下を抑制しつつ、漏れ磁束の発生を抑制することができる。
【００３６】
凸部２８は、積層された周方向で隣り合うブロック２０の分割部２４を挟んで設けられた一対の分割凸部２５により構成されるので、分割部２４における隙間発生がより抑制され、漏れ磁束をより抑制することができる。
【００３７】
また、ストレートコア１０Ａを巻回する際も分割凸部片２５ｃを係合させながら巻回することで、ストレートコア１０Ａが連結点２１ａが変形することにより発生するスプリングバックによって、分割部２４において隙間が発生することが抑制される。
【００３８】
（第２実施形態）
図５は本発明の第２実施形態に係るストレートコアの平面図、図６は図５のストレートコアが円周方向に巻回されたステータコアの平面図である。
【００３９】
図５に示すように、本実施形態のストレートコア１０Ａは、幅方向一端側に位置して長手方向に直線状に延びるバックヨーク片３２ａと、バックヨーク片３２ａから幅方向他端側に突出して形成されたティース片３３ａとが複数連続形成された電磁鋼板である。バックヨーク片３２ａの長手方向両側には、ティース片３３ａと反対側（幅方向一端側）に開口するＶ字溝３４ａが形成されている。Ｖ字溝３４ａの長さは、バックヨーク片３２ａの幅より僅かに短く設定されている。これにより、隣接するバックヨーク片３２ａ同士は、Ｖ字溝３４ａの先端側に形成された連結点３１ａによって連結されている。
【００４０】
図５に示すストレートコア１０Ａは、４個のティース片３３ａごとに１つのブロック３０ａを構成し、各ブロック３０ａの長手方向両端には、ティース片３３ａと反対方向に突出する分割凸部片３５ｃが設けられている。分割凸部片３５ｃは、バックヨーク片３２ａに接続する幅広の根元部３５ａと、根元部３５ａから更に突出する幅狭の先端部３５ｂとからなり、根元部３５ａには、根元部３５ａの側方に隣り合うブロック２０ａ側に開口する半円形溝３６が形成されている。
【００４１】
このようなストレートコア１０Ａを、図６に示すように、円周方向に巻回しながら回転軸方向に積層することにより、Ｖ字溝３４ａが閉じる方向に連結点３１ａで折り曲げられ、円環状のステータコア１０が形成される。これにより、各ブロック３０ａが回転軸方向に整列積層されコアブロック３０を構成し、隣り合うコアブロック３０同士が連結部３１で連結される。このとき、バックヨーク片３２ａ、ティース片３３ａ及び分割凸部片３５ｃが、それぞれバックヨーク３２、ティース３３及び分割凸部３５を構成する。各コアブロック３０のティース３３もそれぞれ、連結部３１で連結される。また、Ｖ字溝３４ａを画成する隣接するコアブロック３０の側面により分割部３４が構成され、周方向で隣り合うコアブロック３０の分割部３４を挟んで設けられた一対の分割凸部３５により凸部３８が構成される。また、一対の半円形溝３６が、ステータコア１０を回転軸方向に貫通する貫通孔３７を構成する。
【００４２】
このように円環状に構成されたステータコア１０も、第１実施形態と同様に、一対の分割凸部３５が接合された凸部３８の先端３８ａを、ボス部１５の外周面に形成された凹部１７に係合させて、ボス部１５の周囲に配置される。そして、一対の半円形溝３６からなる貫通孔３７に回転軸方向からボルト１１を挿通させて、ハウジング１２の側壁１３に固定される。
【００４３】
このように、凸部３８の先端３８ａがハウジング１２のボス部１５に形成された凹部１７に係合して保持されることで、分割部２４が円周方向に開くことが抑制される。また、貫通孔２７にボルト１１を挿通させてハウジング１２の側壁１３に固定するので、ボルト１１の座面１１ａが貫通孔２７の周囲のステータコア１０を回転軸方向に押圧することによっても分割部２４が円周方向に開くことが抑制されるとともに、ステータコア１０をハウジング１２に固定できる。また、積層されたストレートコア１０Ａのばらけも防止できる。その他の作用は、第１実施形態のステータと同様である。
【００４４】
（第３実施形態）
図７は本発明の第３実施形態に係るストレートコアの平面図、図８は図７のストレートコアが円周方向に巻回されたステータコアの平面図である。
【００４５】
図７に示すように、本実施形態のストレートコア１０Ａは、第２実施形態のストレートコアと同様に、幅方向一端側に位置して長手方向に直線状に延びるバックヨーク片４２ａと、バックヨーク片４２ａから幅方向他端側に突出して形成されたティース片４３ａとが複数連続形成された電磁鋼板である。バックヨーク片４２ａの長手方向両側には、各ティース片４３ａと反対側（幅方向一端側）に開口するＶ字溝４４ａが形成されている。Ｖ字溝４４ａの長さは、バックヨーク片４２ａの幅より僅かに短く設定されている。これにより、隣接するバックヨーク片４２ａ同士は、Ｖ字溝４４ａの先端側に形成された連結点４１ａによって連結されている。
【００４６】
図７に示すストレートコア１０Ａは、４個のティース片４３ａ毎に１つのブロック４０ａを構成し、各ブロック４０ａの長手方向両端には、Ｖ字溝４４ａから離間して、ティース片４３ａと反対方向に突出する分割凸部片４５ｃが設けられている。分割凸部片４５ｃの突出方向は、Ｖ字溝４４ａの開き方向と略同じ方向となっている。即ち、隣接する分割凸部片４５ｃ同士の突出方向は異なっている。
【００４７】
このようなストレートコア１０Ａを、図８に示すように、円周方向に巻回しながら回転軸方向に積層することにより、Ｖ字溝４４ａを閉じる方向に連結点４１ａで折り曲げられ、円環状のステータコア１０が形成される。これにより、各ブロック４０ａが回転軸方向に整列積層されてコアブロック４０を構成し、隣り合うコアブロック４０同士が連結部４１で連結される。このとき、バックヨーク片４２ａ、ティース片４３ａ及び分割凸部片４５ｃが、それぞれバックヨーク４２、ティース４３及び分割凸部４５を構成する。各コアブロック４０のティース４３もそれぞれ、連結部４１で連結される。また、Ｖ字溝４４ａを画成する隣接するコアブロック４０の側面により分割部４４が構成され、周方向で隣り合うコアブロック４０の分割部４４を挟んで設けられた一対の分割凸部４５が、径方向内側に向かって略平行になり、固定部である凸部４８を形成する。
【００４８】
このように円環状に構成されたステータコア１０も、第１実施形態と同様に、各凸部４８が係合するように形成されたボス部１５の外周面に形成された凹部にそれぞれまたは共に係合させて、ボス部１５の周囲に配置、固定される。これにより、本実施形態においても、第１実施形態と同様の作用効果を有する。
【００４９】
尚、本発明は、前述した各実施形態に限定されるものではなく、適宜、変形、改良、等が可能である。
例えば、固定部としての凸部２８、３８、４８の数、形状は、上記実施形態に限定されるものではなく、適宜変更することができる。
【符号の説明】
【００５０】
１０    ステータコア
１０Ａ  ストレートコア
１１    ボルト（固定部材、接合保持構造）
１２    ハウジング（第１保持部材、第２保持部材、接合保持構造）
１５    ボス部（第１保持部材）
１７    凹部（接合保持構造）
２０、３０、４０  コアブロック（積層されたブロック）
２１、３１、４１  連結部
２３、３３、４３  ティース
２３ａ、２３ｂ、３３ａ、４３ａ  ティース片
２４、３４、４４  分割部
２５、３５、４５  分割凸部
２５ｃ、３５ｃ、４５ｃ  分割凸部片（固定部片）
２７、３７  貫通孔（固定部）
２８、３８、４８  凸部（固定部）
【図１】
2012147547.tif 000003
【図２】
2012147547.tif 000004
【図３】
2012147547.tif 000005
【図４】
2012147547.tif 000006
【図５】
2012147547.tif 000007
【図６】
2012147547.tif 000008
【図７】
2012147547.tif 000009
【図８】
2012147547.tif 000010
【図９】
2012147547.tif 000011
【図１０】
2012147547.tif 000012